(57)【要約】【目的】  片手で筐体を保持しながら映像と音声の送受信が可能なハンディ型テレビ電話装置を提供する。【構成】  スピーカ部、デイスプレイ部等が設けられた筐体と、マイク部、操作部等が設けられた筐体とをヒンジにて結合し、上記筐体を折りたたみ可能に構成し、筐体の表面部又はヒンジ部にカメラ部３を設ける。【選択図】図１３
2004304832.tif 000002
【特許請求の範囲】
【請求項１】
音声および／または画像による通信を行うための信号処理手段と、音声を出力するためのスピ−カ部と、音声を入力するためのマイク部と、画像を出力するための表示部と、画像を入力するためのカメラ部と上記信号処理手段に操作指令を入力するための操作部と、を含んで構成されるテレビ電話装置において、上記表示部は、上記スピ−カ部と上記マイク部との間に配置されていること、を特徴とするテレビ電話装置。
【請求項２】
上記表示部、上記スピ−カ部、上記マイク部は、同一の筐体に配置されていることされていること、を特徴とする請求項１記載のテレビ電話装置。
【請求項３】
音声および／または画像による通信を行うための信号処理手段と、音声を出力するためのスピ−カ部と、音声を入力するためのマイク部と、画像を出力するための表示部と、画像を入力するためのカメラ部と上記信号処理手段に操作指令を入力するための操作部と、を含んで構成されるテレビ電話装置において、上記スピ−カ部を着脱可能な状態で保持するスピ−カ保持手段を有すること、を特徴とするテレビ電話装置。
【請求項４】
音声および／または画像による通信を行うための信号処理手段と、音声を出力するためのスピ−カ部と、音声を入力するためのマイク部と、画像を出力するための表示部と、画像を入力するためのカメラ部と上記信号処理手段に操作指令を入力するための操作部と、を含んで構成されるテレビ電話装置において、上記マイク部を格納した第１の筐体と、上記スピ−カ部を格納した第２の筐体と、上記第１の筐体と上記第２の筐体とを、連結する連結手段と、を有することを特徴とするテレビ電話装置。
【請求項５】
上記連結は、上記第１の筐体と上記第２の筐体との角度を変更可能なものであること、を特徴とする請求項４記載のテレビ電話装置。
【請求項６】
上記第１の筐体に隣接して上記カメラ部を保持するカメラ部保持手段を有すること、を特徴とする請求項４記載のテレビ電話装置。
【請求項７】
上記カメラ保持手段は、上記第１の筐体と上記第２の筐体との連結部において、上記カメラ部を保持するものであること、を特徴とする請求項６記載のテレビ電話装置。
【請求項８】
音声および／または画像による通信を行うための信号処理手段と、音声を出力するためのスピ−カ部と、音声を入力するためのマイク部と、画像を出力するための表示部と、画像を入力するためのカメラ部と上記信号処理手段に操作指令を入力するための操作部と、を含んで構成されるテレビ電話装置において、上記マイク部を格納した第１の筐体と、上記スピ−カ部を格納した第２の筐体と、上記表示部を格納した第３の筐体と、上記第１の筐体と上記第３の筐体とを連結する第１の連結手段と、上記第２の筐体と上記第３の筐体とを連結する第２の連結手段と、を有することを特徴とするテレビ電話装置。
【発明の詳細な説明】
【技術分野】
【０００１】
本発明は片手で筐体を保持して映像と音声の送受信が可能なハンディ型電話端末装置に関するものである。
【背景技術】
【０００２】
従来のハンディ型のテレビ電話装置においては、薄形本体の正面上方に表示部、中央に操作部、最下部にスピーカ部を配置したテレビ電話機が提案されている。
【０００３】
【特許文献１】意匠登録第７７４７５０号
【発明の開示】
【発明が解決しようとする課題】
【０００４】
前記従来例によれば、表示部とスピーカ部が備えられているために、通話相手から映像と音声を受信することができる。しかしながら、電話端末を折りたたみ可能なハンディ型に構成することは配慮されていない。加えて、カメラ部の配置を工夫することで、カメラの付いた電話端末の収容性、携帯性を向上すること、または外部からの衝撃・塵埃に対しカメラを保護することは考慮されていない。
【０００５】
本発明は前記課題を解決するためになされたものであり、その第１の目的は、片手で筐体を保持しながら映像と音声の送受信が可能なハンディ型電話端末装置を提供することにある。
【０００６】
本発明の第２の目的は、片手で筐体を保持しながら、音声に対応した音声通話姿勢と、映像と音声に対応した映像通話姿勢との両方をとって、いずれの姿勢においても良好な送受信のできるハンディ型電話端末装置を提供することにある。
【０００７】
本発明の第３の目的は、カメラを有効に設置し、小型化、収納性、携帯性の向上が図れるハンディ型電話端末装置を提供することにある。
【０００８】
本発明の第４の目的は、カメラの保護が図れるハンディ型電話端末装置を提供することにある。
【課題を解決するための手段】
【０００９】
本発明は上記目的を達成するためになされたもので、その一態様としては、音声および／または画像による通信を行うための信号処理手段と、音声を出力するためのスピーカ部と、音声を入力するためのマイク部と、画像を出力するための表示部と、画像を入力するためのカメラ部と上記信号処理手段に操作指令を入力するための操作部と、を含んで構成されるテレビ電話装置において上記表示部は、上記スピーカ部と上記マイク部との間に配置されていること、を特徴とするテレビ電話が提供される。
【００１０】
本発明の他の態様としては、マイク部を格納した第１の筐体とスピーカ部を格納した第２の筐体と、上記第１の筐体と上記第２の筐体とを、連結する連結手段と、を有することを特徴とするテレビ電話装置を提供することにある。
【００１１】
本発明の他の態様としては、マイク部を格納した第１の筐体と、スピーカ部を格納した第２の筐体と、表示部を格納した第３の筐体と、第１の筐体と第３の筐体とを連結する第１の連結手段、上記第２の筐体と上記第３の筐体とを連結する第２の連結手段と、を有するテレビ電話装置が提供される。
【発明の効果】
【００１２】
本発明によれば、片手で筐体を保持しながら映像と音声の送受信を行うことができるので、使用者の行動を妨げることなく映像と音声の送受信を行うことができる。また、使用者の手前に筐体を位置させる映像と音声との両方に対応した映像通信姿勢に加えて、スピーカ部とマイク部を使用者の耳と口に近接させた音声に対応した音声通信姿勢をとることができるので、通話する情報の内容にあった通話姿勢を取ることができる。また、通話状態においては、操作部と表示部を露出して全長を耳と口にあった長さとし、収納状態においては、操作部と表示部を隠蔽しながら全長を短くすることができるので、収納性、携帯性が高い。また、本発明は、折りたたみ構成のハンディ型電話端末のヒンジ部にカメラ部を配置しているので、端末全体を必要以上に大きくすることなく、小型化、収容性、携帯性の向上が図れ、さらに未使用時には折りたたむことでカメラ部を装置で覆う構成になっているので、その保護ができる。
【発明を実施するための最良の形態】
【００１３】
以下、本発明に係るハンディ型テレビ電話装置の実施例を図１から図２３において詳細に説明する。
【実施例１】
【００１４】
図１から図８は本発明に係るハンディ型テレビ電話装置の第１の実施例を示したものである。
【００１５】
本実施例の外観構造の概略を図１、図２を用いて説明する。ハンディ型テレビ電話装置１は、薄型扁平で縦長形状の本体２と、該本体２の右側面に回転自在に取り付けられたカメラ部３と、本体２の正面上部に折りたたみ自在に取り付けられた耳パット部４と、耳パット部４の中央部に配置されたスピーカ部６と、本体２の背面下部に着脱自在に取り付けられたアンテナ部２１と、本体２の背面下部に着脱自在に取り付けられたバッテリー９とから主に構成される。また、ハンディ型テレビ電話装置１の背面から両側面にかけては、ブリップ部３５が形成されている。
【００１６】
本体２の正面には、上述した耳パッド部４の他に、デイスプレイ部１１、送信・受信キー１２と終了キー１３、操作部１４とファンクションキー１５、マイク部１６が上から順に配置されている。
【００１７】
装置内部における機能部の概略配置を説明する。
【００１８】
図３は機能部の展開図、図４は機能部の概略配置図である。このハンディ型テレビ電話装置１は、処理部やメモリーからなるメイン基板１７と、無線／画像コーデックを備えた通信装置１８と、コードリール部１９と、スピーカ部６と、液晶のデイスプレイ部と１１と、操作基板２０と、マイク部１６と、バッテリー９と、アンテナ部２１と、カメラ部３とを備えている。
【００１９】
メイン基板１７は、本体２内部において上部後側に配置されている。そして、その前側には通信装置１８とデイスプレイ部１１とが配置される。デイスプレイ部１１の下方には操作基板２０が、また、さらにその下側にはマイク部１６が配置されている。
【００２０】
バッテリー８はメイン基板１７の下方に位置し、後カバー８に着脱自在に取り付けられている。
【００２１】
アンテナ部２１は、通信装置１８の右斜め上方に配置されている。このアンテナ部２１は、前カバー７の上部右側に形成された取付台２１ａ（図１参照）に取り付けられる。
【００２２】
カメラ部３は、メイン基板１７および通信装置１８の右側、アンテナ部２１の下側に配置されている。該カメラ部３は、前カバー７の右外側位置において回転自在に取り付けられる。
【００２３】
コードリール部１９は、スピーカ部６に信号を伝える接続コード５を巻き取っておくためのものである。このコードリール部１９は、耳パッド部４に半埋め込み状態で配置されている。そして、スピーカ部６は、該コードリール部１９の回転軸上において、着脱自在に保持されている。
【００２４】
次に、各部の構造を詳細説明する。
【００２５】
本体２の外観は、前カバーと後カバー８とで構成され、上述した各部の大部分は、この両カバーの間に収納されている。前カバー７と後カバー８との接続はゴムパッキンを介して連結される防敵構造としている。また、前カバー７の前面上部には、耳パッド４を収納するための凹状収納部１０が設けられている（図７参照）。
【００２６】
耳パッド部４は、その下端中央に形成された凸部２６ａを、前カバー７に形成された受部２６ｂに回転自在な状態で連結されている。これにより、該耳パッド４はその下端部（正確には、図５の軸２６ｃ）を支点として、開閉自在に構成されている。耳パッド部４を閉じた状態では、その背面部分が上述の凹状収納部１０に収納され、本体２と一体感が出るようにしている。一方、耳パッド部４を開いた状態とすれば、耳パッド部４の下方に設けられたデイスプレイ部１１に入射する外光を避けるためのフードとして利用することができる（図５参照）。
【００２７】
該耳パッド部４の前面には、中央に回転軸２８を有する凹部２７が形成されている。コードリール部１９は、該凹部２７が形成されている。コードリール部１９は、該凹部２７にはめこまれ、回転軸２８を中心として回転自在な状態に保持されている。該コードリール部１９の前面側は、外部に露出した状態となっており、該露出部２９を手で回転させればコード巻取部１９ａにコードを巻き取ることができる。また、該露出部２９はすり鉢形状になっており、その中央にはスピーカ部６を着脱自在に収納可能な凹部（以下、該凹部を“スピーカ取付部３０”という）が形成されている。なお、スピーカ取付部３０の深さは、スピーカ部６を収納した状態においても、その一部をスピーカ取付部３０を突出した状態としてその脱着を容易とするためである。従って、このようなフードとしての使用を考慮しなければ、該耳パッド４を開閉自在に構成しているのは、該耳パッド４を、つまり、スピーカ部６を本体２の正面上部に直接配置する。
【００２８】
また、スピーカ取付部３０にはスピーカ部６が取付けられている時に接続する接点３０ａが設けられている。スピーカ部６が耳パット４部に収納された状態で使用されているか、取外してイヤホンとして使用されているかは、接点３０ａを通じて得られる信号により
検知されている。従って、使用状態に応じた適正な音量に自動的に調整される。あるいは、スピ−カとして使用する場合の信号は該接点３０ａを通じて、一方、イヤホンとして使用する場合の信号はコ−ド５を通じて、別々にスピ−カ部６に入力することとしてもよい。但し、この場合には、スピ−カ部６の側にも、該接点３０ａと接続するための端子を設ける必要がある。このように、本実施例は、スピ−カ部６の使用状態に応じてその音量・音質を自動的に変更できる構成となっている。
【００２９】
スピーカ部６の接続コード５は、取り出し口３１を経由してコードリール部１９のコード巻取部１９ａに収納される。なお、取り出し口３１は、上述の凹部２７の縁の一部を切り欠いて形成されたものである。
【００３０】
スピーカ部６を引出すには、まず、スピーカ部６をつまんでスピーカ取付部３０から取り外す。そして、そのままスピ−カ部６を引くと、コードリール部１９が回転し、接続コード５がコード巻取部１９ａから引き出される。収納するには、手で露出部２９を巻き取
り方向に回転させて、接続コ−ド５をコード巻取部１９ａに巻き取る。そして、最後にスピーカ部６をスピーカ取付部３０に装着する。なお、本実施例では、コ−ド５の巻き取り操作を手で行うためにコードリール部１９の一部を耳パット部４から露出させているが、例えば、ねじりバネを備えた自動巻き取り機構を備えれば、コードリール部１９全体を耳パット部４あるいは本体２に内臓しても良い。
【００３１】
カメラ部３は、自動焦点機能と画角調整機能（拡大、望遠）とを備えている。該カメラ部３は、デイスプレイ部１１の右側面に設けられた該側面に略垂直な回転軸３２と、その一端を連結されている。これによりカメラ部３は、本体２に対して、前後方向に回転自在
になっている。カメラ部３の回転可能な角度は、図６に示すように、前方１２０°〜後方１２０°の範囲である。また、回転軸３２には放射状のリブ（図示せず）を例えば５°切ざみで設けており、カメラ部３を（段階的ではあるが）任意の角度で固定することができる。また、デイスプレイ部１１とカメラ部３の視点を極力一致させるようにしている。これは、カメラ部が通話者を正面から撮影していなければ、相手方のテレビ電話に映しだされる画像上において、該（撮影されている）通話者が正面を向いた状態とならず、不自然な感じを与えるからである。
【００３２】
カメラ部３の先端部に設けられたレンズ部２４は、カメラ部３の本体に対し、長手方向に摺動自在になっている。一方、アンテナ部２１の取付台２１ａの下端部には、レンズ部２４の先端部と嵌合可能な凹部２５が設けられている。カメラ部３の長手方向が電話装置１の長手方向と一致している状態（すなわち、図６の状態）で、該レンズ部２４を上方に引出して凹部２５に係合させれば、カメラ部３を固定して収納状態とすることができる。この収納状態においては、水滴や塵埃からレンズ部２４を保護することができる（図６参照）。
【００３３】
カメラ部３の後端部には一時停止ボタン３７が設けられている。テレビ電話機能での通話中にこの一時停止ボタン３７を操作すると、カメラ部３による撮影（あるいは、撮影している画像の送信）が一時的に停止される。この機能を、例えば、通話中にカメラ部３７を回転させる場合に使用すれば、該回転中に撮影されている見苦しい画像をカットすることができる。
【００３４】
デイスプレイ部１１を被う半透明板２２（図１参照）は、デイスプレイ部１１を保護等するためのものである。該半透明板２２は、前カバー７と面一に設けられている。
【００３５】
操作部１４はタッチパネルを備えた液晶パネルからなり、矩形状の区画内にテンキーや各種操作キーを表示して、その指定個所の操作キーを指で触れることにより入力可能なものである。
【００３６】
フアンクションキー１５は、テレビ電話機能と音声電話機能の切替えボタン１５ａと、操作部１４の画面切替えボタン１５ｂと、操作部１４の画面スクロールボタン１５ｃ、１５ｄとから構成される。
【００３７】
グリップ３５（図２参照）は、本体２の背面部のみならず、バッテリー９によってもその一部が構成されている。このグリップ部３５は、下部両側角部の面取りがなされているため（該処理のなされている部分を、図中、符号３５ａを付した。）、手になじんで片手でもハンディ型テレビ電話装置１をしっかり保持できる。
【００３８】
本体２の左側面に設けられる電源スイッチ３３は、ハンディ型テレビ電話装置１を待機状態とするためのものである。この待機状態においても、着信を受け付けることができることはいうまでもない。なお、本実施例においては、通常、該装置を左手でもつことを前提として、電源スイッチ３３を左側に配置しているが、使用者が該ハンディ型テレビ電話装置１を右手で持って使用してもなんら問題はないことは当然である。
【００３９】
バッテリー９は、図２の太矢印方向に摺動させることにより、取り外すことができる。また、バッテリー９の表面には凹凸部３４が形成されており、着脱時の操作性を高めている。バッテリー９のロック解除スイッチ３６は、本体２の背面のバッテリ−９の上側に設けられている。また、本体２の底面に設けられた充電用端子２３は、バッテリ９の充電を行う際に、別体の充電器の端子と接続されるものである。
【００４０】
ハンディ型テレビ電話装置１の大きさは、図８に示すとおり、本体２の高さｈ２を１６４ｍｍ、横幅Ｗ１を６４ｍｍ、厚さＤ１を２９ｍｍ、アンテナ部２１を含めた高さｈ３を２０５ｍｍ、スピーカ部６とマイク部１６の距離ｈ１を１３０ｍｍ、カメラ部３の長さｈ４を５９ｍｍ、アンテナ部２１を含めた横幅Ｗ２を８０ｍｍ、耳パット部４を含めた厚さＤ２を３５ｍｍ、本体１の下端部の厚さＤ３を３０ｍｍとしている。また、カメラ部３は直径を１５ｍｍとする円柱形状としている。なお、本実施例ではスピーカ部６とマイク部１６を操作部１４の配置面より突出させて設けている。但し、スピ−カ部６とマイク部１６とは、事実上、本体２の略同一面に設けられているといって差し支えない。
【００４１】
これらのサイズおよび形状等、特に、本体のサイズ（ｈ２，Ｗ１，Ｄ１）およびスピ−カ部６とマイク部１６との距離（ｈ１）は、該装置に必要とされる機能を内包するに十分なだけでなく、手で持った場合の持ち易さ、操作性等を考慮して決定されたものである。例えば、距離ｈ１は、スピ−カ部６を（耳パッド４に装着したままの状態で）耳に当てた場合、マイク部１６が口に近接して位置する距離として決定されたものである。従って、サイズはこれに限定されるものではなく、またその具体的な値の微小な違いも問題ではない。
【００４２】
次に、使用方法を説明する。
【００４３】
本実施例では、テレビ電話機能（映像と音声）に対応した映像通話姿勢と、音声電話機能（音声のみ）に適した音声通話姿勢との２つの通話姿勢を取ることができる。なお、グリップ部３５の存在により、いずれの通話姿勢でもハンディ型テレビ電話装置１を片手でもしっかり保持することができる。
【００４４】
先ず、本体２の左側面に設けた電源スイッチ３３を操作して待機状態にする。この状態で相手先から受信することができる。ここで、電源スイッチ３３は保持する左手の親指近傍に配置されるので、特に持ち変えることなく、左手で保持したまま操作できる。受信した場合は、スピーカ部６から着信音が発せら、送信／受信キー１２を押す操作で受信することができる。この場合、音声のみの通話か否かは、通信装置１８の信号を処理部が判断して、デイスプレイ部１１にその旨表示する。通話が終了すると、終了キー１３を押すことで再び待機状態にすることができる。
【００４５】
テレビ電話として使用する場合は、左手でグリップ部３５を持ち、右手で操作する。例えば、待機状態から、テレビ電話機機能で送信するには、右手でカメラ部３のレンズ部２４を下方に摺動させて凹部２５との系合を外す。そして、カメラ部３を所望の角度にまで回転させる（図７参照）。続いて、送信／受信キー１２を操作し、デイスプレイ部１１と操作部１４をＯＮ状態とする。また、切替えボタン１５ａでテレビ電話機能を
選択する。その後、操作部１４に表示されるテンキーを操作して相手先電話番号を入力する。入力した相手先電話番号はデイスプレイ部１１に表示されるため、これを確認し、最後に送信／受信キー１２を操作する。これにより該電話番号の相手へ発信される。
【００４６】
本実施例では画面切替えボタン１５ｂを操作し、操作部１４に電話帳リストを表示させることができる。また、該電話長リストの表示は、画面スクロールボタン１５ｃ、１５ｄを操作してスクロ−ルさせることができる。従って、多数の電話番号を装置に覚えさせておき、その中から相手先電話番号を選択して送信することもできる。
【００４７】
電話がつながった後は、ディスプレイ部１１を見ながら話をする。この場合、カメラ部２４は２４０°回転できるので、自分の顔を写しての通信のみならず、第３者や風景を撮影しながらの通信を行うことができる。また、野外で通話する場合や照明がデイスプレイ部１１に写り込む場合には、耳パット部４を引き起こせば該耳パット部４がディスプレイ部１１入射する外の光を遮って見やすくなる（図７参照）。また、話の内容を周囲の人に聞かれたくない場合には、スピーカ部６を引出してイヤホンとして使えばよい（図７参照）。この際、上述したとおりスピーカ部６が耳パット４部に収納された状態で使用されているか、取外してイヤホンとして使用されているかによって、使用状態に応じた適正な音量に自動的に調整される。
【００４８】
通話終了後は、終了キー１３を押せば、再び待機状態にすることができる。
次に、通常の音声のみの電話としての使用を説明する。
【００４９】
音声電話機能で通話する場合でも、その基本操作は、テレビ電話として使用する場合とほぼ同じである。
【００５０】
左手でグリップ部３５を持ち、右手で操作する。待機状態から、通常の音声のみの電話機機能で送信するには、送信／受信キー１２を操作し、デイスプレイ部１１と操作部１４をＯＮ状態とする。また、切替えボタン１５ａで音声電話機能を選択する。その後、操作部１４に表示されるテンキーを操作して相手先電話番号を入力する。入力した相手先電話番号はデイスプレイ部１１に表示されるため、これを確認し、最後に送信／受信キー１２を操作する。これにより該電話番号の相手へ発信される。この操作後、通話者の耳に耳パッド部４を接しさせ、マイク部１６を使用者の口に近ずけて保持する通常のハンドセットのような通話姿勢で相手と通話する。
【００５１】
テレビ電話として使用している場合でも、音声のみの通話の場合と同じ姿勢で通話することができる。この場合、デイスプレイ部１１とカメラ部３を使用することができないが、周囲の人に聞かれたくない会話や、通話中に自動車が通る等して発生する騒音に際し有効である。
【００５２】
なお、操作部１４は通常のボタン式のものや、シート状のテンキーでもよい。
【００５３】
また、耳パッド部４とカメラ部３とは、両者の動きを連動させててもよい。さらには、どちらか一方に両者を一体的に設けてもよい。
【００５４】
本実施例では、カメラ部３をデイスプレイ部１１の側方に取付けているが、デイスプレイ部１１とカメラ部３の視点が合うように設ければ良い。例えば、カメラ部３を、本体２の上面にカメラ部３の長手方向が接するように配置する。そして、カメラ部３の回転軸を本体２の上面中央に回転軸を設けてもよい。この場合、カメラ部３と本体２の横幅を同一とするよい。
【００５５】
本実施例では、アンテナ２１を本体２から突出して設けているが、カメラ部３と一体化する等してその本体２からの突出量を小さくすれば、収納性が向上する。
【００５６】
また、カメラ部３は本体２から着脱自在としてもよい。この場合、ヒンジ部３２を介して引出自在な接続コードで接続すれば、装着時に接続コードが隠蔽されるので意匠的に良好である。
【００５７】
以上述べたように、本発明に係るハンディ型テレビ電話装置においては、薄形の本体２に、片手で把持するためのグリップ部３５を形成するとともに、該本体２に撮影角度の変更可能なカメラ部３を備えることにより、片手で本体２を保持しながら映像と音声の送受信を行なうことができる。更に、デイスプレイ部１１の上部に設けた耳パッド部４を引き起こすことにより、デイスプレイ部１１に写り込む外光の影響を防ぐことができる。
【００５８】
また、本体２の長手方向の一端側にスピーカ部６、他端側にマイク部１６を設け、該スピーカ部６とマイク部１６の間にデイスプレイ１１と操作部１４を設けたことにより、映像通話姿勢と、音声通話姿勢とのいずれかを選択できる。また、全体を片手で持って使用することができるため、操作性に優れている。また、装置全体が一体化されているため、携帯性や、バッグ等への収納性という点でも優れている。更に、スピーカ部６は引き出してイヤホンとしても使用可能であるため、秘密の会話や相手の声が聞き取りにくい場合に有効である。加えて、ハンディ型テレビ電話装置１は各所に防滴構造を施しているので野外での使用の際に有効である。
【実施例２】
【００５９】
本発明の第２の実施例を図９から図１２を用いて説明する。
【００６０】
図９は映像通話姿勢の斜視図、図１０は動作状態を示す説明図、図１１は収納状態の斜視図、図１２はの映像通話姿勢他の斜視図である。なお、図１から図８に示した部位、矢印と同じ部位等は、同一符号をもって示した。
【００６１】
本実施例は、本体を複数の装置に分割し、各装置をヒンジ部で連結した点に特徴を有するものである。これにより、片手で本体を保持する通話姿勢に加えて、テーブル面に本体を設置する設置通話姿勢をとることができる。更に、収納性を向上させることができる。
【００６２】
本実施例のハンディ型テレビ電話装置１は、図９に示すとおり、薄形扁平な本体３８と、該本体３８の側面にヒンジ部３２を介して回転自在に取り付けられるカメラ部３と、本体３８の上面に取り付けられるアンテナ部２１と、本体３８の背面中央に着脱自在に取り付けられるバッテリー９（図示せず）とを含んで構成される。
【００６３】
本体３８は、第１の装置３９と、第２の装置４１と、第３の装置４３との３つから構成される。なお、特許請求の範囲第１５項においていう”第１の筐体”に該当するのが該第２の装置４１の筐体である。また、”第２の筐体”に該当するのが、第３の装置４３の筐体である。また、”第３の筐体”に該当するのが、第１の装置３９の筐体である。
【００６４】
第１の装置３９の正面には機能配置面３９ａが形成され、該機能配置面３９ａにデイスプレイ部１１と送信／受信キー１２と終了キー１３が配置される。また、第１の装置３９にはメイン基板１７（図示せず）が内蔵され、後部にバッテリー９（図示せず）が着脱自在に取り付けられている。第１の装置３９の後部とバッテリー９とで、ハンディ型テレビ電話装置１を片手で保持するためのグリップ部３５が形成されている。第１の装置３９の左側面には電源スイッチ３３（図示せず）が設けられている。
【００６５】
第２の装置４１は、第１の装置３９の下端にヒンジ部４０を介して折たたみ自在に取り付けられる。なお、本実施例では該ヒンジ部４０が第1の装置３９と第2の装置４１を連結する連結手段である。この第２の装置４１には機能配置面４１ａが形成され、該機能配置面４１ａには、ヒンジ部４０と対向する端部にマイク部１６が設けられている。また、該マイク部１６とヒンジ部４０との間位置に操作部１４が配置される。機能配置面４１ａと機能配置面３９ａとは、ほぼ同じ大きさを備えており、第２の装置４１を第１の装置３９に折たたんだ状態では、機能配置面４１ａが機能配置面３９ａを隠蔽する。
【００６６】
第３の装置４３は、第１の装置３９の上方に配置されている。両者の連結は、第３の装置４３の下端部と、第１の装置３９の上端部とをヒンジ部４２により回動可能な状態で連結することによりなされている。なお、本実施例では該ヒンジ部４２が第1の装置３９と第３の装置４３とを連結するである。該第３の装置４３は、通信装置１８（図示せず）を内蔵している。また、その正面に形成された機能配置面４３ａの中央には、スピーカ部４４が配置されている。
【００６７】
機能配置面４３ａの左右両側には、ヒンジ部４５ａ、４５ｂを介して、軟質材で形成された耳パッド部４６ａ、４６ｂが開閉自在に取り付けられている。耳パッド部４６ａ、４６ｂを閉じた状態では、該耳パッド部４６ａ、４６ｂが機能配置面４３ａを隠蔽する。なお、耳パッド部４６ａ、４６ｂには、音抜け穴４７を備えた凹部４８が形成されている。
【００６８】
カメラ部３はその下端部を、上述のヒンジ部４２の軸位置に配置された回転軸３２に回動可能に取り付けられている。この場合、カメラ部３は、第３の装置４３とは独立して動かすことができる。また、カメラ部３の回転可能な角度範囲は、第３の装置４３の面と平行な角度位置を基準として、２４０°（前側１２０°〜後側１２０°）としている。なお、カメラ部３は該第３の装置の面と平行な角度位置においてその角度が不用意に変わるのを防ぐためのロック機構を有している。また、リブなどが設けられ、任意の角度に設定することができる点等は上記第１の実施例と同様である。
【００６９】
なお、装置全体および各部の具体的なサイズは、ここでは示さないが、その全体のサイズ・形状、スピ−カとマイクとの距離、その他の部位のサイズ・形状等については基本的には第１の実施例と同様の観点から決定されている。なお、これ以降において述べる他の実施例についても同様である。
【００７０】
動作状態を図１０を用いて説明する。なお図１０（ａ）は部分正面図、（ｂ）は右側面図である。
【００７１】
本実施例のハンディ型テレビ電話装置１は、大きく分けて３つの形態（収納姿勢、音声通話姿勢、映像通話姿勢）をとることができる。
【００７２】
収納姿勢は、図１０の実線および図１１で示されるものである。
【００７３】
該収納姿勢においては、第２の装置４１が第１の装置３９と接する角度にまで折たたまれる。この時、機能配置面４１ａが機能配置面３９ａを被って、機能配置面３９ａ、４１ａに配置される機能部を保護することができる。また、第２の装置４１を折たたんだ分だけ、全長を短くして収納することができる。
【００７４】
第３の装置４３についても耳パッド部４６ａ、４６ｂを閉じることにより、スピーカ部４４をカバーする。この場合、耳パッド部４６ａ、４６ｂが上記折たたんだ状態の第２の装置４１にあたり、該第３の装置４３の回転は制限される。これにより、収納姿勢を保持することができる。カメラ部３についても図１１の角度において固定されるため、じゃまになることは少ない。
【００７５】
このように該収納姿勢では、全体がコンパクトに折たたまれて、ハンディ型テレビ電話装置１を凹凸の少ない薄形扁平な形態にすることができる。従って、持ち運びの際に、また、バッグ内に収容する際等に、有効である。
【００７６】
次に、音声通話姿勢について説明する。
【００７７】
該姿勢では、第２の装置４１が第１の装置３９に対して１２０°の角度位置に保持される（図１０（ｂ）の点線で示した第２の装置４１が該状態に対応するものである）。一方、第３の装置４３は、第１の装置３９と平行な状態である（図１０（ｂ）の実線で示した第３の装置４３が該状態に対応するものである）。
【００７８】
この姿勢では、第１の装置３９の後部をグリップ部３５として片手でしかっり把持することができる。また、スピーカ部４４とマイク部１６とを、それぞれ使用者の耳と口に合った位置に位置させることができる。
【００７９】
次に、映像通話姿勢について説明する。
【００８０】
映像通話姿勢には２種類ある。
【００８１】
ひとつは、上述の音声通話姿勢から第３の装置４３を前方に９０°倒した状態である（図１２参照）。この姿勢においては、第３の装置４３がフードの機能をはたすので、デイスプレイ部１１に写り込む上方向からの外光を遮蔽するのに有効である。
【００８２】
二つ目は、この図１２の状態からさらに、耳パッド部４６ａ、４６ｂを９０°開いた状態である（図９参照）。この状態では、ディスプレイ部１１の上側のみなら左右両側もカバーすることができ、野外で使用する場合に特に有効である。また、スピーカ部４４の発する音声は、耳パッド部４５ａ、４５ｂと第１の装置３９とにより遮蔽・反射され、指向性が高くなる。その結果、音声は、通話者には聞こえ易く、周囲の人に聞こえにくいという大きな利点がある。
【００８３】
また、映像通話姿勢（図９、図１２）においては、第３の装置４３を前方に倒したことにより、ハンディ型テレビ電話装置１全体の重心が前側に移動し、第２の装置４１を脚部としてテーブル面等の上にハンディ型テレビ電話装置１を自立させることができる。従って、該姿勢は、”設置通話姿勢”ということもできる。
【００８４】
なお、音声通話姿勢でもテレビ電話機能を使用することができるが、デイスプレイ部１１の視認性を良好にするためには、上述の図９、図１２に示す映像通話姿勢は有効である。
【実施例３】
【００８５】
本発明の第３の実施例を図１３乃至図１６を用いて説明する。
【００８６】
図１３は使用状態の斜視図、図１４は収納状態の斜視図、図１５はヒンジ部の概略構造図、図１６はカメラ部の動作説明図である。なお、図１から図１２に示した部位、矢印と同一の部位等は、同一符号をもって示し説明を省略する。
【００８７】
本実施例は、本体を２つの装置に分割し、両者を二つのヒンジ部で折たたみ自在に連結するとともに、ヒンジ部にカメラ部を設けて、携帯性と操作性を向上させた点に特徴を有するものである。
【００８８】
ハンディ型テレビ電話装置１は、第１の装置４９と、第２の装置５０と、第１の装置４９と第２の装置５０とを折たたみ自在に連結するヒンジ部５１と、該ヒンジ部５１に回転自在に取り付けられるカメラ部６１と、第１の装置に取り付けられるアンテナ２１とから主に構成される。なお、本実施例ではヒンジ部５１が第1の装置４９と第2の装置５０を連結する連結手段となる。
【００８９】
第１の装置４９は通信装置１８（図示せず）を内蔵するとともに背面に着脱自在なバッテリー９（図示せず）を配している。その正面に形成された機能配置面４９ａには、上部にスピーカ部５２を、また、その下側にデイスプレイ部１１および送信／受信キー１２と終了キー１３とを配置している。
【００９０】
第２の装置５０はメイン基板１７（図示せず）を内蔵している。その正面に形成された機能配置面５０ａにはヒンジ部５１と反対側端部付近にマイク部１６を配置している。また、マイク部１６とヒンジ部５１との間に操作部１４を配置している。
【００９１】
第１の装置４９と第２の装置５０は薄形扁平な形状である。また、機能配置面４９ａと機能配置面５０ａとは、略同一の形状・大きさとなっており、両機能配置面が接するように折たたみ、装置全体を薄形扁平な状態とした形態を収納姿勢とする（図１４参照）。
【００９２】
カメラ部６１はヒンジ部５１による連結部（注：より正確には、左右のヒンジ部５１の間位置）取り付けられており、第１の装置４９と第２の装置５０の開閉動作に連動して回動し、その向きが変化する。その構造を図１５、図１６にて説明する。
【００９３】
カメラ部６１はカメラ部６１の長手方向に対して直角な光軸Ｘを備えている。
【００９４】
第１の装置４９に形成された支持部５４ａ、５４ｂは、第２の装置５０に形成された支持部５３ａ、５３ｂの内側に位置し、支持部５３ａ、５３ｂに設けられた回転軸５６に嵌合することにより、第１の装置４９と第２に装置５０とを回転自在に連結している。
【００９５】
カメラ部６１の長手方向の端部には回転軸５７が形成され、支持部５４ａ、５４ｂに回転自在に取り付けられている。支持部５４ａとカメラ部６１の間には、ねじりバネ５５ａが配置されている。該ねじりバネ５５ａは、その一端をカメラ部６１に、他の端を支持部５４ａに取り付けられている。また、支持部５３ｂと５４ｂの間には、ねじりバネ５５ｂが配置されている。該ねじりバネ５５ｂは、その一端は支持部５３ａに取り付けられている。また、他の端は、支持部５４ｂを越えてカメラ部６１に取り付けられている。なお、ねじりバネ５５ａとねじりバネ５５ｂとは、釣合いをとられている。
【００９６】
使用時の動きを図１６を用いて説明する。図１６は使用状態の側面図を示したものである。第１の装置４９と第２の装置５０を開くと、カメラ部６１はねじりバネ５５ａ，５５ｂの応力によりその角度位置が変化する。この場合、両ねじりバネ５５ａ，ｂは釣合いがとられているため、カメラ部６１は常に第１の装置４９と第２の装置５０との間の角度θの中心角度位置に、その光軸Ｘを位置させるように作動する。つまり、装置の
角度θに応じてカメラ部６１が動作するので、通話者の顔をとらえた状態を保つことが容易である（注：通話者がディスプレイ１１を見る場合、通話者の顔が、θ／２の方向に位置することになることが多いからである。）。なお、この実施例のようなカメラの配置・角度維持構造は他の実施例においても適用可能なものである。
【００９７】
更に、デイスプレイ部１１の光軸Ｙとカメラ部Ｘの交点Ｐは回転角度θに対応して調整できるので、視認性がよく、かつ、写りがよい通話者の位置を容易に調節することができる。
【００９８】
以上述べたように、本実施例によれば、デイスプレイ部１１の視認性とカメラ部６１の撮影を簡単に調整できる。収納状態においては薄形扁平な形態として装置全体の収納性・携帯性が良好である。また、マイク部１６、スピ−カ部５２を通話者の耳と口に近接させた音声通話姿勢と、ディスプレイ部１１を通話者に向けた映像通話姿勢との、いずれの姿勢でも片手でしっかり把持することができる。また、カメラの角度の調整の手間を少なくすることができる。
【実施例４】
【００９９】
本発明の第４の実施例を図１７乃至図２０を用いて説明する。図１７は音声通話姿勢の斜視図、図１８は収納姿勢の斜視図、図１９は音声映像通話姿勢の斜視図、図２０は概略構造を示す側面図である。なお、図１から図１６に示す部位、矢印は同一符号をもって示し説明を省略する。
【０１００】
本実施例は、本体をスピーカ部を備えた装置と、マイク部を備えた装置とに分割し、該装置をヒンジ部で折たたみ自在に連結するとともに、カメラ部をマイク側の装置先端に設けることにより、音声と映像との両方に対応した姿勢をとるものである。
【０１０１】
図１７、図１８において、ハンディ型テレビ電話装置１は、薄形扁平な第１の装置５８と、薄形扁平な第２の装置５９と、第１の装置５８と第２の装置５９を折たたみ自在に連結するヒンジ部４０と、第１の装置５８にヒンジ部６０を介して回転自在に取り付けられるカメラ部６１と、第２の装置５９に取り付けられるアンテナ２１とから主に構成される
【０１０２】
第１の装置５８はメイン基板１７（図示せず）を内蔵している。そしてその正面に形成された機能配置面５８ａには、ヒンジ部４０と反対側端部付近にマイク部１６が配置されている。また、マイク部１６とヒンジ部４０との間には、デイスプレイ部１１と送信／受信キー１２と終了キー１３を配置している。なお、第１の装置５８とヒンジ部４０との結合は、固定的になされているのではなく、ヒンジ部４０の連結部６２を介してなされている。この点については後ほど詳細に説明する。
【０１０３】
第２の装置５９は、内部には通信装置１８（図示せず）を、背面には着脱自在に構成されたバッテリー９（図示せず）を備えている。正面には、機能配置面５９ａが形成されており、該機能配置面５９ａにはヒンジ部４０と反対側端部付近にスピーカ部５２を配置している。また、スピ−カ部５２とヒンジ部４０との間には操作部１４を配置している。
【０１０４】
カメラ部６１はその長手方向に対して直角の光軸Ｘを備えている。また、該カメラ部６１は、ヒンジ部４０と対峙する第１の装置５８の端部にヒンジ部６０を介して取付けられており、カメラ部６１を図１９の白抜き矢印方向に引き起こすように回転させることができる。該カメラ部６１は、その長手方向の長さを第１の装置５８の横幅と同一にされている。
【０１０５】
ヒンジ部４０の構造および第１の装置５８との連結について図１９、図２０を用いて説明する。なお、本実施例ではヒンジ部４０が第1の装置５８と第2の装置５９とを連結する連結手段である。
【０１０６】
ヒンジ部４０は、可動端として、第２の装置５９の下側端部と、連結部６２とを有して構成されるものである。連結部６２には、連結板６４が設けられており、第１の装置５８との連結は、該連結板６４を介して行われている。つまり、第１の装置５８には、その内部に挿入孔部が設けられており、該挿入孔部に連結板６４を挿入することにより両者の連結がなされている。また、該連結は、固定的なものではなく、連結板６４は、上記挿入孔部を摺動自在な状態に保たれている。従って、第１の装置５８を該連結板６４の方向に移動可能な構成となっている。また、第１の装置５８と第２の装置５９との間をつなぐ接続コ−ドは、連結板６４内を通されている。
【０１０７】
本実施例の使用状況毎の形態を説明する。
【０１０８】
第１の装置５８を第２の装置５９に重ねるように折たたんだ状態を収納形態とする（図１８参照）。この収納形態においては、機能配置面５９ａを第１の装置５８とカメラ部６１で被った状態となり、機能配置面５９ａ、カメラ部６１等の保護を図ることができる。また、装置全体としても薄形扁平な状態を保つことができ、収納性、形態性が良好である（図１８、図２０における実線、参照）。なお、上述の説明においては述べなかったが、機能配置面５９ａと、機能配置面５８ａとは、略同一の形状・大きさを有しており、該収納姿勢において、ちょうど重なるようになっている。
【０１０９】
この収納姿勢から通話姿勢にするには、図２０の矢印Ｚ１方向に、第１の装置５８を１２０°回転させる。該通話姿勢を、図２０において点線で示す。この通話姿勢では、ヒンジ部４０の後部に屈折したグリップ部３５が形成されるから、ハンディ型テレビ電話装置１を片手でしっかり握持することができる。そして、スピーカ部５２を通話者の耳に近接した場合、マイク部１６を前方に位置させて、通話者の口に近ずけることがで
きるので、音声に対応した良好な音声通話姿勢を得ることができる。また、本実施例では、マイク部１６に近接してデイスプレイ部１１とカメラ部６１を設け、更に、カメラ部６１を引き起こすことができるので、音声と映像との両方の送受信に適した音声映像通話姿勢をとることができる。
【０１１０】
しかも、デイスプレイ部１１とカメラ部６１は、第１の装置５９を引き出せば、第１の装置５９の移動可能な距離Ｌの範囲内でデイスプレイ部１１等を下側に移動させることができる。従って、ディスプレイ部１１をより見やすい位置に調整できる。さらに、カメラ部６１の撮影角度も調整することもできる。
【０１１１】
なお、連結板６４に予め湾曲を与えておけば、第１の装置本体５３を引き出すにつれて、デイスプレイ部１１の光軸Ｙが上方（図面上）に向くようにすることができ、デイスプレイ部１１をより見やすくすることができる。
【０１１２】
また、光軸が長手方向と一致するカメラ部を採用してもよい。この場合には、カメラ部の配置位置そのものは同じであるが第１の装置５８との連結構造を変更する。つまり、長手方向と垂直な回転軸を設け、カメラ部６１の中央と回転自在な状態で連結する。
【実施例５】
【０１１３】
本発明の第５の実施例を図２１乃至図２３を用いて説明する。
【０１１４】
図２１は映像通話姿勢の斜視図、図２２は収納姿勢の斜視図、図２３動作説明図である。なお、図１から図２０に示す部位、矢印と同様の部位等は、同一符号をもって示し説明を省略する。
【０１１５】
本実施例は、本体を複数の装置に分割し、各装置をヒンジ部で連結して形態を変化させることにより、片手で本体を保持する通話姿勢に加えて、テーブル面に本体を設置する設置通話姿勢ができるようにしたものである。
【０１１６】
ハンディ型テレビ電話装置１は、薄形扁平な本体６５と、カメラ部３と、フード６７と、アンテナ部２１と、バッテリー９（図示せず）とから構成される。
【０１１７】
本体６５は、薄形扁平な第１の装置６８と、第２の装置７０とから主に構成される。  第１の装置６８は、メイン基板１７と通信装置１８（図示せず）が内蔵されている。その正面上部にはデイスプレイ部１１とスピーカ部５２と操作部１４とが設けられている。また、右側面に電源スイッチ３３とイヤホンジャック７１とマイクジャック７２が設けられている。
【０１１８】
第２の装置７０は薄形扁平で、第１の装置６８の下端にヒンジ部６９を介して回転自在に取り付けられている。回転可能な範囲は、前方（図面左側）に８０°後方に１２０°の範囲である。該第２の装置７０の正面の中央には、送信／受信キー１２と終了キー１３を配置し、その下にマイク部１６を設けている。また、背面には着脱自在なバッテリー９が取付けられている。
【０１１９】
フード６７は、ヒンジ部６６を介して本体６５の正面上部に回転自在に取付けられる。該フード６７は折たたんだ状態で、デイスプレイ部１１とスピーカ部５２を隠蔽し、且つ、また、開いた状態でデイスプレイ部１１に入射する外光を遮るに十分な、大きさ・形状を有している。ヒンジ部６６は、カメラ部３のヒンジ部３２と回転軸を同一にしているが、回転動作は各々独立して可能である。
【０１２０】
なお、フード６７は第１の装置６８に対して最大９０°までの範囲内において、任意の角度位置、に固定することができるようになっている。
【０１２１】
カメラ部３は、該本体６５の側面にヒンジ部３２を介して回転自在に取り付けられる。なお、本実施例では、カメラ部３とフード６７を独立して設けているが、フード６７にカメラ部３を取付けて両者を連動させてもよい。
【０１２２】
アンテナ部２１は、本体６５の背面上面に取り付けられる。
【０１２３】
バッテリー９（図示せず）は、本体６５の背面下部に着脱自在に取り付けられる。
【０１２４】
使用状況毎の形態を説明する。
【０１２５】
収納姿勢を図２２に示す。該姿勢においては、フ−ド６７を完全に閉じてディスプレイ部１１、スピ−カ部５２を被う。また、第２の装置７０を第１の装置６８と同じ向きにする。該姿勢においては、デイスプレイ部１１とスピーカ部５２の保護を図ることができる。また、本体６５を薄形扁平な縦長形状とできるため収納性・携帯性も高い。なお、この収納姿勢でも、別体のイヤホンとマイクをイヤホンジャック７１とマイクジ
ャック７２に接続すれば、音声のみの通話が可能である。
【０１２６】
次に、収納姿勢から映像通話姿勢に移るには、第２の装置７０を前側に回動させると共に、フード６７を開くことによりなされる。この映像通話姿勢では、ヒンジ部６６の後部に屈折したグリップ部３５が形成されるから、ハンディ型テレビ電話装置１を片手でしっかり握持することができる。また、デイスプレイ部１１の上方にフード６７が位置するため、デイスプレイ部１１の視認性を向上させることができる。更に、周囲の人に聞かれたくない会話については、別体のイヤホンとマイクを使うこともできる。
【０１２７】
さらに、前記映像通話姿勢では第２の装置７０を脚部としてハンディ型テレビ電話装置１を自立させることができる。この姿勢では、重いバッテリー９が下側背面部にあり、一方、カメラ部３とフード６７と前方に位置しているので安定している。この意味で、該映像通話姿勢を”設置通話姿勢”ということもできる。なお、第２の装置７０を後方に回転させて図２１の実線で示した状態とすれば、より安定性の高い設置通話姿勢を得ることができる。この場合、通話には、別体のイヤホンとマイクを使うようにする。このように本実施例では多様な通話姿勢をとることができる。なお、上述した他の実施例についても、マイクを有数第２の装置４１が（ヒンジ４０を介して）後ろ側にまで曲げることができれば、同様に設置通話姿勢をとることができるように構成してもよい。
【図面の簡単な説明】
【０１２８】
【図１】本発明の第１の実施例の音声通信姿勢を示す前方斜視図である。
【図２】本発明の第１の実施例の音声通信姿勢を示す後方斜視図である。
【図３】内部機能部の展開図である。
【図４】内部機能部の概略配置図である。
【図５】耳パット部の部分断面図である。
【図６】カメラ部の回転動作を示す右側面図である。
【図７】映像通信姿勢を示す斜視図である。
【図８】音声通信姿勢を示す主要３面図である。
【図９】本発明の第２の実施例の映像通信姿勢を示す斜視図である。
【図１０】該実施例の動作状態を示す部分正面図および側面図である。
【図１１】該実施例の収納姿勢を示す斜視図である。
【図１２】該実施例の映像通信姿勢を示す斜視図である。
【図１３】本発明の第３の実施例の映像通信姿勢を示す斜視図である。
【図１４】該実施例の収納姿勢を示す斜視図である。
【図１５】該実施例のカメラ部の保持機構およびヒンジ部の概略構造図である。
【図１６】カメラ部の角度位置を示す説明図である。
【図１７】本発明の第４の実施例の音声通信姿勢を示す斜視図である。
【図１８】該実施例の収納姿勢を示す斜視図である。
【図１９】該実施例の映像通信姿勢を示す斜視図である。
【図２０】該実施例の動作状態を示す説明図である。
【図２１】本発明の第５の実施例の映像通信姿勢を示す斜視図である。
【図２２】該実施例の収納姿勢を示す斜視図である。
【図２３】該実施例の動作状態を示す説明図である。
【符号の説明】
【０１２９】
１…ハンディ型テレビ電話装置、２…本体、３…カメラ部、４…耳パット部、５…接続コード、６…スピーカ部、９…バッテリー、１１…デイスプレイ部、１４…入力部、１６…マイク部、１７…メイン基板、１８…通信装置、１９…コードリール部、２０…操作基板、３５…グリップ部、３８…本体、３９…第１の装置、３９ａ…機能配置面、４０…ヒンジ部、４１…第２の装置、４１ａ…機能配置面、４２…ヒンジ部、４３…第３の装置、４３ａ…機能配置面、４４…スピーカ部、４６ａ、４６ｂ…耳パッド部、４９…第１の装置、５０…第２の装置、５１…ヒンジ部、５２…スピーカ部、５８…第１の装置、５９…第２の装置、６０…ヒンジ部、６１…カメラ部、６５…本体、６７…フード、６８…第１の装置、６９…ヒンジ部、７０…第２の装置
【図１】
2004304832.tif 000003
【図２】
2004304832.tif 000004
【図３】
2004304832.tif 000005
【図４】
2004304832.tif 000006
【図５】
2004304832.tif 000007
【図６】
2004304832.tif 000008
【図７】
2004304832.tif 000009
【図８】
2004304832.tif 000010
【図９】
2004304832.tif 000011
【図１０】
2004304832.tif 000012
【図１１】
2004304832.tif 000013
【図１２】
2004304832.tif 000014
【図１３】
2004304832.tif 000015
【図１４】
2004304832.tif 000016
【図１５】
2004304832.tif 000017
【図１６】
2004304832.tif 000018
【図１７】
2004304832.tif 000019
【図１８】
2004304832.tif 000020
【図１９】
2004304832.tif 000021
【図２０】
2004304832.tif 000022
【図２１】
2004304832.tif 000023
【図２２】
2004304832.tif 000024
【図２３】
2004304832.tif 000025
【手続補正書】
【提出日】平成16年6月25日(2004.6.25)
【手続補正１】
【補正対象書類名】特許請求の範囲
【補正対象項目名】全文
【補正方法】変更
【補正の内容】
【特許請求の範囲】
【請求項１】
片手で保持して使用することができる携帯型の電話端末装置において、
画像を表示するディスプレイ部と、
画像を入力するカメラ部と、
使用者の入力を受け付ける操作部を有し、
前記カメラ部は、回転軸を中心に回転することを特徴とする携帯型の電話端末装置。
【請求項２】
請求項１に記載の携帯型の電話端末装置において、
前記カメラ部の回転軸は、第１の支持部と第2の支持部により両端を支持され、
前記カメラ部は、電話端末装置本体に埋め込まれるように設置されていることを特徴とする携帯型の電話端末装置。
【請求項３】
請求項１に記載の携帯型の電話端末装置において、
前記カメラ部の回転軸は、第１の支持部と第2の支持部により両端を支持され、
前記カメラ部は、電話端末装置から突出しないように配置されていることを特徴とする携帯型の電話端末装置。
【請求項４】
請求項２又は請求項３に記載の携帯型の電話端末装置において、
前記第１の支持部と前記第2の支持部は電話端末装置の本体の一部をなし、
前記カメラ部は、前記ディスプレイ部が正面を向く方向から電話端末装置を見た場合に、前記電話端末装置の本体の一部をなすように見えることを特徴とする携帯型の電話端末装置。
【請求項５】
請求項２乃至４に記載の携帯型の電話端末装置において、
前記第１の支持部および前記第2の支持部にはそれぞれ孔が設けられており、前記カメラ部の回転軸を前記孔に挿入することで、前記カメラ部を回転可能に支持することを特徴とする携帯型の電話端末装置。
【請求項６】
手に持って使用することが可能な携帯型の電話端末装置において、
画像を表示するディスプレイ部と、
使用者からの入力を受け付ける操作部と、
画像の入力が可能なカメラ部と、
前記カメラ部の両端に配置され前記カメラ部を支持する第１の支持部および第2の支持部を有し、
前記カメラ部は、前記カメラ部の回転軸を介して前記第１の支持部と前記第2の支持部に支持され回動することを特徴とする携帯型の電話端末装置。
【請求項７】
ディスプレイを有する第１の装置と、使用者からの入力を受け付ける操作部を有する第２の装置とをヒンジ部により開閉可能に連結し、
前記ヒンジ部は、前記第１の装置と前記第２の装置を連結する第１の支持部および第2の支持部を有し、前記第１の支持部と前記第2の支持部の間には、画像の入力を行なうカメラ部を有することを特徴とする携帯型の電話端末装置。
【請求項８】
請求項７に記載の携帯型の電話端末装置において、
前記第１の支持部は第１の孔を、前記第2の支持部は第2の孔をそれぞれ有し、
前記カメラ部は、前記第１の支持部に接する端部に第１の突起部を、前記第2の支持部に接するもう片方の端部に第2の突起部をそれぞれ有し、
前記カメラ部は、前記第１の突起部を前記第１の孔に、前記第2の突起部を前記第2の孔にそれぞれ挿入することで回動可能に支持されていることを特徴とする携帯型の通信端末装置。